(57)【要約】【課題】 サークル錠型の自転車用錠において、錠前側の取付け部と取付けバンド側の固定部との結合強度をコストアップさせることなくより強化する。【解決手段】錠ケース１の内側の左右に、取付けバンドの取付け部５を延設したサークル錠型の自転車用錠において、左右の取付け部５の上下に、取付けバンドの取付け方向とほぼ平行する側面８を互いに向かい合わせに具えた台部６を設け、取付けバンド７の基部９から上下に、ケース側の取付け部に重ね合わされるバンド側の固定部１０を延設し、この固定部の両端に台部の側面に接合する当接部１１を形成し、この当接部と上記台部の側面との接合により取付けバンドの取付け状態をより強化するようにした。【選択図】図３
2005145259.tif 000002
【特許請求の範囲】
【請求項１】
円弧形の錠ケース内に復元ばねを備えた円弧形の閂杆を摺動可能に嵌装し、錠ケースの内側の左右に、取付けバンドの取付け部をそれぞれ一体に延設したサークル錠型の自転車用錠において、上記左右の取付け部の上下に、取付けバンドの取付け方向とほぼ平行する側面を互いに向かい合わせに具えた台部をそれぞれ設ける一方、取付けバンドの基部から上下に、上記錠ケース側の取付け部に重ね合わされる取付けバンド側の固定部を一体に延設し、この固定部の端部を上記台部の側面と接合する当接部に形成して、錠ケースへの取付け状態において、この当接部と上記台部の側面との接合により取付けバンドの取り付けを強化するようにした自転車用錠。
【発明の詳細な説明】
【技術分野】
【０００１】
本発明は、円弧形の錠ケース内に、復元ばねを備えた円弧形の閂杆を摺動可能に嵌着し、錠ケースの内側の左右に取付けバンドの取付け部を一体に延設したサークル錠型の自転車用錠に関し、特に、この種の錠の使用中に生じ易い取付けバンドのぐらつきとか破損を可及的に防止できるようにしたことを特長とするものである。
【背景技術】
【０００２】
従来のサークル錠型の自転車用錠に対する取付けバンドの形状とか固定方法には色々あるが、例えば、特許文献１のように、取付けバンドの中央部を十字形に形成して上下に延設されたバンド側の固定部の先をさらにＴ字形に形成し、このＴ字形の固定部を錠前側の取付け部に左右一対のリベットでそれぞれ鋲止めすることにより取り付けを強化し、使用中に生ずる取付けバンドのぐらつきとか折損を防止するようにしたものがある。
【０００３】
【特許文献１】特開２００２−３０８１６８号公報（例えば、第１頁、図１、３参照）
【０００４】
サークル錠型の自転車用錠は、閂杆が円弧形で、施錠時には取付けバンドの固定位置から比較的に離れた位置にあり、かつ、この施錠状態において自転車のリムが閂杆に直交する方向から当たることが頻繁にあって、自転車用錠の使用中に取付け部分にがたつきを生じたり、折損を起こすおそれがある。
【発明の開示】
【発明が解決しようとする課題】
【０００５】
以上のことから、本発明が解決しようとする問題点は、円弧形の錠ケース内に、円弧形の閂杆と復元ばねを備えたサークル錠型の自転車用錠において、錠前側の取付け部と取付けバンド側の固定部との結合強度をコストアップさせることなくより強化することにある。
【課題を解決するための手段】
【０００６】
そこで本発明は、上記の課題を解決するために、円弧形の錠ケース内に復元ばねを備えた円弧形の閂杆を摺動可能に嵌装し、錠ケースの内側の左右に、取付けバンドの取付け部をそれぞれ一体に延設したサークル錠型の自転車用錠において、上記左右の取付け部の上下に、取付けバンドの取付け方向とほぼ平行する側面を互いに向かい合わせに具えた台部をそれぞれ設ける一方、取付けバンドの基部から上下に、上記錠ケース側の取付け部に重ね合わされる取付けバンド側の固定部を一体に延設し、この固定部の端部を上記台部の側面と接合する当接部に形成して、錠ケースへの取付け状態において、この当接部と上記台部の側面との接合により取付けバンドの取り付けを強化するようにした自転車用錠を提供するものである。
【発明の効果】
【０００７】
本発明に係る自転車用錠は、取付けバンドの取付け方向とほぼ平行するように錠ケース側の取付け部の上下に具えた台部の側面に、バンド側の固定部の両端部に形成した当接部をそれぞれ接合させることによって、取付けバンドの取付け状態に耐振性が具わり、強化されているので、施錠状態にある閂杆にリムが当たるなどして錠前の使用中に生じ易いバンド側のがつきとか折損を回避することができ、施錠操作、開錠動作のスムーズさが損なわれ難くなり自転車用錠の耐久性が向上する。
【発明を実施するための最良の形態】
【０００８】
錠ケースの内側の左右に、取付けバンドの取付け部を一体に延設したサークル錠型の自転車用錠において、上記左右の取付け部の上下に、取付けバンドの取付け方向とほぼ平行する側面を互いに向かい合わせに具えた台部を設ける。一方、取付けバンドの基部から上下に一体に延設され、錠ケース側の取付け部に重ね合わされるバンド側の固定部を鋲止めするとともに、このバンド側の固定部の両端に形成した当接部を、錠ケースへの取付け状態において上記台部の側面に接合させることにより、取付けバンドの取り付けを強化する。
【実施例】
【０００９】
以下に、本発明の実施例を図面について説明する。  
図１は、錠前の裏面を覆うベース部材を取り除いた錠ケースを錠の背面側から示す正面図である。
図２は、実施例の施錠状態を示す示す側面図である。
図３は、取付けバンドと錠ケース側の取付け部を示す一部切欠分解斜視図である。
【００１０】
図において、１は、ベース部材２に重ね合わされて互いに一体に結合する円弧形の錠ケース、３は、錠ケース１内に摺動自在に備えた同じく円弧形の閂杆、４は、閂杆３の内端に連結されて閂杆３を常時開錠方向に牽引する復元ばね、５は、錠ケース１の内側から一体に延設された左右一対の取付け部、６は、取付け部５の上下に設けた台部、７は、錠ケース１を自転車のホークに取り付ける取付けバンドである。
【００１１】
上記台部６は、取付けバンド７の取付け方向と平行する側面８を互いに向かい合わせに具えている。
この実施例において、取付けバンド７は、取付け基部９から上下に、錠ケース１側の取付け部５に重ね合わされる固定部１０を一体に延設し、延設した固定部１０の両端をそれぞれ直角に屈曲して起立片を形成し、この起立片を上記台部６の側面８に面接合する当接部１１としているが、本発明の実施に際しては、上記固定部１０の両端を直接上記台部６の側面８の基部に当接させるようにすることもできる。
【００１２】
そして、錠ケース１側の取付け部５に重ね合わされる取付けバンド７側の固定部１０は、図示のようにリベット１２で取付け部５に固定される。また、固定部１０のリベット止めとともに、両端の当接部１１は、上下で互いに向かい合う台部６の間に介入して該台部６の側面８と緊密に接合する。
【００１３】
なお図中、１３は、両端に具えた中空の嵌合部１４を固定部１０を固定したリベット１２の上から被せる防水と防振を兼用するゴム製のカバー部材、１５は、図中実線で示すように施錠状態にある閂杆３をロックするロックレバー、１６は、ロックレバー１５を支配する施錠機構、１７は、閂杆３を施錠位置に移動させる操作レバー、１８は、操作レバー１７と閂杆３を連結するノックピン、１９は、操作レバー１７のガイド溝である。
【００１４】
上記のようにして錠ケース１の内側に一体形成するバンドの取付け部の上下に台部６を対設し、取付けバンド５側の固定部１０の両端に当接部１１を設けて、固定部のリベット止めとともに台部６の側面８の間に当接部１１を介入させて取付けバンド７を錠ケース１に固定するようにしたこの自転車用錠によれば、従来の取付けバンドの固定構造に比べて耐振性が具わり、それ程にコストアップすることなく取付が強化されているので、施錠状態にある閂杆にリムが当たるなどして錠前の使用中に生じ易いバンド側のがつきとか折損を回避することができるとともに、施錠操作、開錠動作のスムーズさが損なわれ難くなって耐久性が向上する。
【産業上の利用可能性】
【００１５】
本発明の実施に際しては採用する自転車用錠（サークル錠）の形態とか、台部の間隔等は、本発明の目的に沿って、実施例の態様のみに限定されるものではなく、図示を省略しているが、取付けバンド側の固定部の両端縁を当接部として台部の側面に直接当接させるようにする場合もある。
【図面の簡単な説明】
【００１６】
【図１】錠ケースの裏面を覆うベース部材を取り除いた自転車用錠を背面側から示す正面図である。
【図２】実施例の施錠状態を示す示す側面図である。
【図３】取付けバンドと錠ケース側の取付け部を示す一部切欠分解斜視図である。
【符号の説明】
【００１７】
１    錠ケース
２    ベース部材
３    閂杆
４    復元ばね
５    取付け部
６    台部
７    取付けバンド
８    側面
９    取付け基部
１０    固定部
１１    当接部
１２  リベット
１３  カバー部材
１４  嵌合部
１５  ロックレバー
１６  施錠機構
１７  操作レバー
１８  ノックピン
１９  ガイド溝
【図１】
2005145259.tif 000003
【図２】
2005145259.tif 000004
【図３】
2005145259.tif 000005